(57)【特許請求の範囲】
【請求項１】
ケースと、
複数の端子が一方向に沿って配置されて、前記ケースに設置される端子台と、
略長方形の略平板状であって略長方形の長い方の辺を前記端子の前記一方向に合わせて前記端子台の上部に着脱可能に取り付けられ、装着時には前記端子台の前記上部を覆う保護カバーと
を備え、
前記端子台の一つの側面と前記ケースとは、
前記端子台からはずされた前記保護カバーを収納可能な収納空間と、前記収納空間への入り口である収納口であって略長方形である前記保護カバーの一方の長辺側である第１側面部から前記保護カバーを前記収納空間へ収納可能である収納口とを形成し、
前記収納口は、
装着時における前記保護カバーの前記第１側面部の高さと略同じ高さに形成され、かつ、前記保護カバーの前記第１側面部に沿った細長形状に形成され、
前記保護カバーは、
他方の長辺側である第２側面部の長手方向に亘り突起部を有するとともに、前記第１側面部から前記収納空間に収納される場合に、前記突起部が前記収納口と干渉することにより、前記突起部が前記収納空間に収納されることなく前記収納口から露出し、かつ、前記第１側面部から前記収納空間に収納される場合に、前記略平板状における上面と下面とのうち前記端子台に装着されたときに前記複数の端子に対向する側の面である前記下面が、前記端子台の前記一つの側面の上端の前記収納口の長手方向に亘る角部に接触して収納されることを特徴とする端子装置。
【請求項２】
前記ケースは、
板状体を用いて形成されており、
前記収納口は、
前記角部と、前記角部の上方から前記角部に向かう前記ケースの一部における前記板状体の端部とから形成されることを特徴とする請求項１記載の端子装置。
【発明の詳細な説明】
【技術分野】
【０００１】
この発明は、保護カバーを有する端子台を備えた端子装置に関する。
【背景技術】
【０００２】
制御盤等で使用される端子装置の多くは、商用ＡＣ（Ａｌｔｅｒｎａｔｉｎｇ  Ｃｕｒｒｅｎｔ）電源用端子台（ネジ端子タイプ）や信号用ＤＣ（Ｄｉｒｅｃｔ  Ｃｕｒｒｅｎｔ）端子台（ネジ端子タイプ）等を備える。端子台を備えた端子装置では、配線の変更や、機器（端子装置）自体の交換などが頻繁に発生し、端子台の配線の変更も頻繁に発生する。
【０００３】
端子台には、人体との接触を保護する為に、端子台との着脱が可能な保護カバー（端子台カバーともいう）が装着される。この保護カバーには、安価な為、プラスチック製のものが多く使用される。端子台カバーを端子台へ装着する方法としては、端子台本体への勘合固定、又はネジ止めによる固定が多く用いられる。
【０００４】
通常、保護カバーは端子台に装着されており、配線作業の開始時には端子台から取り外される。配線作業の開始時に保護カバーが端子台から取り外された場合、配線作業の終了時に保護カバーの付け忘れ、あるいは配線作業中に保護カバーを紛失してしまうという課題があった。
【０００５】
従来技術では端子台と端子台との間に収納可能なように絶縁板を配設した例はあるが（例えば、特許文献１）、端子台の保護カバーの収納に関する開示はない。
【０００６】
図１０は、従来の端子装置の図である。図１０を用いて従来の場合を簡単に説明する。通常時には、端子台カバーと端子台とは、カバー手前部、カバー後部の勘合にて固定されている。例えば配線の変更を行なう配線作業の開始時に、作業者は、端子台カバーの手前部又は端子台カバーの後部をＣ方向に持ち上げ、端子台と端子台カバーとの勘合を外し、端子台カバーを端子台から取り外す。この場合、端子装置には端子台カバーの収納部が存在しないため、作業者は、端子台カバーを周辺に置き、あるいは自分で保管するなどして配線作業を行っていた。そのため、配線作業の終了時に端子台カバーの付け忘れや、端子台カバーの置き場所を忘れてしまい端子台カバーを紛失してしまうことがあった。
【先行技術文献】
【特許文献】
【０００７】
【特許文献１】特開平５−８２００３号公報
【特許文献２】実願平０２−０６０４８６号のマイクロフィルム
【特許文献３】特開平１０−０９２４８７号公報
【発明の概要】
【発明が解決しようとする課題】
【０００８】
この発明は、保護カバーを有する端子台を備えた端子装置において、配線作業終了時における端子台カバーの付け忘れ、配線作業中における保護カバーの紛失を防止する端子装置を提供することを目的とする。
【課題を解決するための手段】
【０００９】
この発明の端子台は、
ケースと、
複数の端子が一方向に沿って配置されて、前記ケースに設置される端子台と、
略長方形の略平板状であって略長方形の長い方の辺を前記端子の前記一方向に合わせて前記端子台の上部に着脱可能に取り付けられ、装着時には前記端子台の前記上部を覆う保護カバーと
を備え、
前記端子台の一つの側面と前記ケースとは、
前記端子台からはずされた前記保護カバーを収納可能な収納空間と、前記収納空間への入り口である収納口であって略長方形である前記保護カバーの一方の長辺側である第１側面部から前記保護カバーを前記収納空間へ収納可能である収納口とを形成し、
前記収納口は、
装着時における前記保護カバーの前記第１側面部の高さと略同じ高さに形成され、かつ、前記保護カバーの前記第１側面部に沿った細長形状に形成され、
前記保護カバーは、
他方の長辺側である第２側面部の長手方向に亘り突起部を有するとともに、前記第１側面部から前記収納空間に収納される場合に、前記突起部が前記収納口と干渉することにより、前記突起部が前記収納空間に収納されることなく前記収納口から露出し、かつ、前記第１側面部から前記収納空間に収納される場合に、前記略平板状における上面と下面とのうち前記端子台に装着されたときに前記複数の端子に対向する側の面である前記下面が、前記端子台の前記一つの側面の上端の前記収納口の長手方向に亘る角部に接触して収納されることを特徴とする。
【発明の効果】
【００１０】
この発明により、保護カバーを有する端子台を備えた端子装置において、保護カバーの紛失、付け忘れを防止する手段を提供することができる。
【図面の簡単な説明】
【００１１】
【図１】実施の形態１における端子台カバー２０の装着を説明する図。
【図２】実施の形態１における端子台カバー２０の装着時を説明する図。
【図３】実施の形態１における端子台カバー２０の収納時を説明する図。
【図４】実施の形態１における端子台カバー２０の装着時のＡ−Ａ断面。
【図５】実施の形態１における端子台カバー２０の取り外し時のＡ−Ａ断面。
【図６】実施の形態１における端子台カバー２０の収納時のＡ−Ａ断面。
【図７】実施の形態１における端子台カバー２０の取り外し状態を示す面。
【図８】実施の形態２における端子台カバー２０の収納時を説明する図。
【図９】実施の形態１における端子台カバー２０の収納時のＢ−Ｂ断面。
【図１０】従来技術を示す図。
【発明を実施するための形態】
【００１２】
実施の形態１．
図１〜図７を用いて実施の形態１を説明する。以下の実施の形態では、端子装置の例として、照明制御装置の場合を説明する。図１は、保護カバーを有する端子台を備えた照明制御装置１００において、端子台１０に端子台カバー２０が装着される場合を説明する図である。また、図２は端子台カバー２０が端子台１０に装着された後の状態を示す図である。また、図３は、端子台カバー２０が後述の収納空間５０に収納された状態を示す図である。以下、図１〜図３等を用いて説明する。
【００１３】
図１に示すように、照明制御装置１００は、ケース３０と、複数の端子を有するとともにケース３０に設置される端子台１０と、端子台１０に対して着脱可能であって装着時には端子台１０を覆う端子台カバー２０とを備える。
【００１４】
（端子台１０）
端子台１０は、７つのネジ端子１１が一方向に沿って配置されている。この端子台１０の上部に、プラスチック製の端子台カバー２０をはめ合わせる。
【００１５】
（端子台カバー２０）
端子台カバー２０は、図１に示すように、略長方形の略平板状であって、略長方形の長い方の辺をネジ端子１１の並ぶ方向に合わせて端子台１０の上部にはめ合わされる。具体的には、端子台カバー２０の断面は「コの字」形状であり、「コの字」の凹部分が端子台１０の上部の形状に合わされている。このため、端子台１０の上部に端子台カバー２０を勘合できる。なお、図１において端子台カバー２０については、装着時に収納口４０側となる側面を第１側面部２１と呼び、反対側の側面を第２側面部２２と呼ぶこととする。また第２側面部２２の「コの字」形状による長手方向に亘る突起を突起部２３と呼ぶこととする。
【００１６】
（収納口４０、収納空間５０）
端子台１０とケース３０とは、端子台１０からはずされた端子台カバー２０を収納可能な収納空間５０と、収納空間５０への入り口である収納口４０とを形成する。これらについては、図４〜図６の説明で述べる。図１には収納口４０を示している。収納口４０の奥に収納空間５０が存在する。
【００１７】
図２は、端子台１０に端子台カバー２０が装着された状態を示し、図３は、図２の状態から端子台カバー２０が取り外され、収納口４０から収納空間５０に端子台カバー２０が収納された状態を示している。以下では、図４〜図６を用いて、図２から図３にいたる動作を説明する。
【００１８】
図２の装着状態において、端子台カバー２０の第２側面部２２をａ方向に持ち上げると第１側面部２１が収納口４０に傾く為、その状態で端子台カバー２０をｂ方向にスライドさせつつ回転させる事により、端子台カバー２０は図３の様に収納空間５０に収納される。図４は、図２のＡ−Ａ断面を示す図であり、図５は、端子台カバー２０がはずされたときのＡ−Ａ断面を示す図である。図５に示すように、収納口４０は、第１側面部２１から端子台カバー２０を収納空間５０へ収納可能である。なお、図４等の断面図では、端子台カバー２０はハッチングを付けないで示している。
【００１９】
図６は、図３のＡ−Ａ断面を示す図である。図６に示すように、端子台カバー２０は、収納空間５０に収納状態では、端子台１０の後部（側面）とケース３０とに挟まれ固定される。図６の場合は、第１側面部２１から収納空間５０に収納される場合に、突起部２３が収納口４０と干渉することにより、第２側面部２２が収納空間５０に収納されることなく収納口４０から露出している。これにより、収納状態から端子台１０に端子台カバー２０を装着するときは、第２側面部２２をつまんで端子台カバー２０を収納空間５０からとりだし、端子台１０に勘合すればよい。
【００２０】
このように、端子台１０のネジ締め終了後、端子台カバー２０を収納空間５０から引き出し、収納の動作と反対の要領で、端子台カバー２０を端子台１０に取り付ける事ができる。
【００２１】
また、図７のように、第２側面部２２をａ方向に端子台１０から浮かした時に、カバー端部２４（図１に示した）をａ方向に浮かすことで、端子台カバー２０を端子台１０から外す事も出来る。
【００２２】
このように、実施の形態１の照明制御装置１００は、端子台１０とケース３０とが、端子台カバー２０を収納する収納空間５０を形成するので、端子台カバー２０の紛失を防ぐ事が出来る。
【００２３】
実施の形態２．
図８、図９を用いて実施の形態２を説明する。実施の形態２は、照明制御装置１００が、単に収納空間５０を有する場合を説明する。
【００２４】
図８は、実施の形態２の照明制御装置１００の外観を示す図である。図８は、端子台カバー２０が収納空間５０に収納されている状態を示している。
【００２５】
図８では、図７の場合と同様にして端子台カバー２０の第２側面部２２をａ方向に端子台１０から外し浮かして、端子台１０から端子台カバー２０を外す場合を想定している。外した端子台カバー２０を収納空間５０に一時的に収納する実施形態である。図９は、図８のＢ−Ｂ断面図である。図９に示すように、寸法Ｍ及び寸法Ｌを適当に決定することにより、取り外された端子台カバー２０を収納することができる。これによって、端子台カバー２０の紛失や、装着忘れを防止することができる。
【００２６】
上記実施の形態では、以下の特徴を有する端子装置について一例を説明した。
【００２７】
ケースと、
複数の端子が一方向に沿って配置されて、前記ケースに設置される端子台と、
略長方形の略平板状であって略長方形の長い方の辺を前記端子の前記一方向に合わせて前記端子台の上部に着脱可能に取り付けら、装着時には前記端子台の前記上部を覆う保護カバーと
を備え、
前記端子台の一つの側面と前記ケースとは、
前記端子台からはずされた前記保護カバーを収納可能な収納空間と、前記収納空間への入り口である収納口であって略長方形である前記保護カバーの一方の長辺側である第１側面部から前記保護カバーを前記収納空間へ収納可能である収納口とを形成し、
前記収納口は、
装着時における前記保護カバーの前記第１側面部の高さと略同じ高さに形成され、かつ、前記保護カバーの前記第１側面部に沿った細長形状に形成され、
前記保護カバーは、
他方の長辺側である第２側面部の長手方向に亘り突起部を有するとともに、前記第１側面部から前記収納空間に収納される場合に、前記突起部が前記収納口と干渉することにより、前記突起部が前記収納空間に収納されることなく前記収納口から露出することを特徴とする端子装置。
【００２８】
前記保護カバーは、
前記第１側面部の長手方向に亘り前記第２側面部の前記突起部と略同一形状の突起部を有し、前記装着時において前記長手方向を法線方向に持つ断面で切断するとコの字を左回転方向に９０度回転させた形状の断面をなし、
前記収納口は、
前記長手方向を法線方向に持つ前記断面でみたときの幅が、コの字を左回転方向に９０度回転させた形状の前記断面の高さよりも、狭いことを特徴とする端子装置。  
【符号の説明】
【００２９】
１０  端子台、１１  ネジ端子、２０  端子台カバー、２１  第１側面部、２２  第２側面部、２３  突起部、２４  カバー端部、３０  ケース、４０  収納口、５０  収納空間、１００  照明制御装置。
【図１】
0005323236.tif 000002
【図２】
0005323236.tif 000003
【図３】
0005323236.tif 000004
【図４】
0005323236.tif 000005
【図５】
0005323236.tif 000006
【図６】
0005323236.tif 000007
【図７】
0005323236.tif 000008
【図８】
0005323236.tif 000009
【図９】
0005323236.tif 000010
【図１０】
0005323236.tif 000011